(57)【要約】【課題】  更新前後の監視情報のデータベースを比較し、その差分を監視画面上に表示して、監視情報の変更箇所を発見しやすくしたプラントの監視制御装置、プラント監視データベースの変更表示方法提供することを目的とする。【解決手段】  演算処理手段１１は、監視情報をデータベースの種類ごとに、且つ、更新前の第１のデータベースと更新後の第２のデータベースとを分けて記憶装置１２に記憶させるとともに、使用する第３のデータベースをインストールするデータベースインストール手段１１１と、第１のデータベースと前記第２のデータベースと比較し、その差を選択処理するデータベース比較処理手段１１２と、制御装置２の制御信号を受信する制御情報処理手段１１３と、制御情報を、監視情報として処理する監視データ処理手段１１４と、この監視情報を表示手段１３に表示させる画面表示処理手段１１５とを備える。【選択図】  図２
2006146671.tif 000002
【特許請求の範囲】
【請求項１】
プラントを制御する制御装置と、前記プラントの制御状態を監視する監視装置とからなるプラント監視制御装置であって、
前記監視装置は、前記制御装置からの制御情報を監視情報として演算処理する演算処理手段と、前記演算処理手段で処理された前記監視情報を記憶する記憶手段と、演算処理された前期監視情報を表示させる表示手段とを備え、
前記演算処理手段は、前記監視情報をデータベースの種類ごとに、且つ、更新前の第１のデータベースと更新後の第２のデータベースとを分けて前記記憶装置に記憶させるデータベースインストール手段と、
前記第１のデータベースと前記第２のデータベースと比較し、その差分を選択処理して第３のデータベースとして前記記憶手段に記憶させるデータベース比較処理手段と、
前記制御装置からの制御信号を受信する制御信号受信処理手段と、
前記制御信号受信処理手段で処理された制御情報を、前記データベース比較処理手段の出力のデータベースの種類ごとに処理し、前記記憶装置に記憶させる監視データ処理手段と、
前記監視データ処理手段の出力を前記表示手段に、前記差分を識別可能に表示させる画面表示処理手段と
を備え、更新前の第１のデータベースと更新後の第２のデータベースとを比較して、監視情報を選択表示させるようにしたことを特徴とするプラント監視制御装置。
【請求項２】
前記データベースインストール手段は、前記第１のデータベースを変更履歴順にファイル番号を付して複数記憶しておき、実行させるデータベースを前記ファイル番号から選択できるようにしたことを特徴とする請求項１に記載のプラント監視制御装置。
【請求項３】
前記データベースの種類は、前記制御装置で制御される前記プラントの各機器の入出力信号の入出力信号データベース、前記プラントの動作を図示するプロセス系統フローデータベース、及び所定期間の前記監視情報を所定の形式で記載した帳票データベースとからなることを特徴とする請求項１に記載のプラント監視装置。
【請求項４】
プラントを制御する制御装置と、前記プラントの制御状態を監視する監視装置とからなるプラント監視制御装置によるプラント監視データベースの変更履歴表示方法であって、
前記監視装置は、前記制御装置からの制御情報を監視情報として演算処理する演算処理手段と、前記演算処理手段で処理された前記監視情報を記憶する記憶手段と、演算処理された前記監視情報を表示させる表示手段とを備え、
前記演算処理手段は、前記監視情報をデータベースの種類ごとに、且つ、更新前の第１のデータベースと更新後の第２のデータベースとを分けて前記記憶装置に記憶させ、
前記第１のデータベースと前記第２のデータベースと比較して、前記第１のデータベース、前記第２のデータベース、及びその差分を識別可能に表示させるとともに、前記差分を選択処理して第３のデータベースとし、前記差分を前記記憶手段に記憶させ、
前記制御装置からの制御信号を、前記第３のデータベースの種類ごとに処理して前記監視情報として表示するようにしたことを特徴とするプラント監視データベースの変更表示方法。
【発明の詳細な説明】
【技術分野】
【０００１】
本発明は、プラントの監視制御装置に係り、特に、プラント監視データベースのデータベース変更を容易に管理するプラント監視装置、プラント監視データベースの変更表示方法に関する。
【背景技術】
【０００２】
上下水道プラントなどの大規模のプラント設備は、設備規模の拡大や縮小、及び老朽設備の更新にともない、そのプラント監視制御装置の監視制御情報のデータベースを追加したり、削除したり、または変更することが頻繁に発生する。
【０００３】
例えば、分散配置される計算機をネットワークによって結びプラントを監視・制御を行う計算機システムにおけるデータベースを保守管理するプラント用データベース保守装置においては、ネットワークに結ばれた各計算機の各データベースを複数の各端末から編集するための個人情報を記録した個別情報データベースを管理する個人情報管理計算機と、データベースを編集する際に個人情報管理計算機へデータベースの編集の可否を問い合わせる個人情報問合せ手段と、この個人情報問合せ手段によって編集が許可された該当データベースを各端末から編集し、変更履歴管理データベースの変更履歴を更新する変更履歴更新手段と、変更履歴管理データベースの内容を参照可能とする変更履歴参照手段とを設けるようにしたものが開示されている（例えば、特許文献1参照。）。
【０００４】
このような手段によれば、複数の各端末から各保守担当者が、分担された担当するデータベースの保守をする場合、個人情報データベースに対して各保守担当者の保守分担に相当するものか否かの問い合わせがされ、許可された保守についてのみ、データベースの保守がされ変更履歴がデータベースで保存される。
【０００５】
これにより、各保守担当者の自己の保守分担以外のデータベースを誤って変更したりすることがなく、各担当者が自己の分担するデータベースの保守をすることができ、変更履歴も作成される。
【０００６】
従って、膨大なデータベースを複数の端末から保守する場合、早期に、かつ、高品質のデータベースを効率的に作成することができるとしている。
【０００７】
このようはデータベース保守装置においては、複数の保守担当者間の作業の重複は避けられる。しかしながら、データベースの改造や追加が変更履歴として変更担当者によって人為的に記録されるものの、この変更履歴がデータベース上に明示されるようになっていないために、改造時点で変更履歴の記載ミスや、誤解から誤った改造がなされ、プラントの運転を開始した後に、不適合が発見される問題がある。
【特許文献１】特開２０００−１２２７１５号公報（第３頁、図２３）
【発明の開示】
【発明が解決しようとする課題】
【０００８】
プロセス監視制御装置の改造は、大型のシステムになれば多数の保守員によって、且つ長期間にわたって実行されるため、全ての変更履歴が正確にデータベースとして記憶されない問題がある。
【０００９】
また、従来のデータベース保守装置では、データベースに変更が必要になると、まず、データベース保守装置のデータベースを変更し、変更が完了するとプロセス監視制御装置へのデータベース送信機能を起動させてデータベースがインストールされている。
【００１０】
したがって、更新されるデータベースの不適合が、インストールされるまでに発見されないと、発生した不適合は重大な事故に繋がる問題がある。
【００１１】
本発明は、上記問題点を解決するためになされたもので、設備の更新、改造が行われた場合のプロセス監視制御装置において、更新前の監視情報のデータベースと新たに更新しようとする監視情報のデータベースとを比較し、その差分を監視画面上に表示して、インストールするデータベースの不適合を発見しやすくしたプラントの監視制御装置、プラント監視データベースの変更表示方法提供することを目的とする。
【課題を解決するための手段】
【００１２】
上記目的を達成するために、本発明に係る請求項１のプラント監視制御装置は、プラントを制御する制御装置と、前記プラントの制御状態を監視する監視装置とからなるプラント監視制御装置であって、前記監視装置は、前記制御装置からの制御情報を監視情報として演算処理する演算処理手段と、前記演算処理手段で処理された前記監視情報を記憶する記憶手段と、演算処理された前期監視情報を表示させる表示手段とを備え、前記演算処理手段は、前記監視情報をデータベースの種類ごとに、且つ、更新前の第１のデータベースと更新後の第２のデータベースとを分けて前記記憶装置に記憶させるデータベースインストール手段と、前記第１のデータベースと前記第２のデータベースと比較し、その差分を選択処理して第３のデータベースとして前記記憶手段に記憶させるデータベース比較処理手段と、前記制御装置からの制御信号を受信する制御信号受信処理手段と、前記制御信号受信処理手段で処理された制御情報を、前記データベース比較処理手段の出力のデータベースの種類ごとに処理し、前記記憶装置に記憶させる監視データ処理手段と、前記監視データ処理手段の出力を前記表示手段に、前記差分を識別可能に表示させる画面表示処理手段とを備え、更新前の第１のデータベースと更新後の第２のデータベースとを比較して、監視情報を選択表示させるようにしたことを特徴とする。
【００１３】
上記目的を達成するために、本発明に係る請求項４の監視データの変更表示方法は、プラントを制御する制御装置と、前記プラントの制御状態を監視する監視装置とからなるプラント監視制御装置によるプラント監視データベースの変更履歴表示方法であって、前記監視装置は、前記制御装置からの制御情報を監視情報として演算処理する演算処理手段と、前記演算処理手段で処理された前記監視情報を記憶する記憶手段と、演算処理された前記監視情報を表示させる表示手段とを備え、前記演算処理手段は、前記監視情報をデータベースの種類ごとに、且つ、更新前の第１のデータベースと更新後の第２のデータベースとを分けて前記記憶装置に記憶させ、前記第１のデータベースと前記第２のデータベースと比較して、前記第１のデータベース、前記第２のデータベース、及びその差分を識別可能に表示させるとともに、前記差分を選択処理して第３のデータベースとし、前記差分を前記記憶手段に記憶させ、前記制御装置からの制御信号を、前記第３のデータベースの種類ごとに処理して前記監視情報として表示するようにしたことを特徴とする。
【発明の効果】
【００１４】
本発明によれば、プラントの監視情報のデータベースを更新前と更新後に分けデータベースの種類ごとに記憶し、その差をデータベースの種類ごとに表示するようにしたので、更新後のデータベースをインストールした時点で不適合が容易に発見され、事前にデータベースの変更や改造ミスが発見できる。
【００１５】
また、更新するデータベースに異常が発見された場合には、更新前のデータベースに戻す機能を備えているので、緊急事態の発生を防止できるプラントの監視制御装置、プラントの監視データベースの変更方法が提供できる。
【発明を実施するための最良の形態】
【００１６】
以下、本発明による実施例について図１乃至図７を参照して説明する。図１は、プラント監視制御装置の構成図である。
【００１７】
プラント監視制御装置は、監視装置１と、監視装置１とネットワーク４で接続され、プラント４の各機器との入出力信号を制御する制御装置２とから構成される。
【００１８】
そして、監視装置１のハードウェアは、制御装置２からの制御情報を受信して、監視情報とする演算処理部１１、この演算処理部１１で実行される詳細を後述する各種のプログラム及びこのプロセス監視制御装置の各種のデータベースを記憶する補助記憶装置１２、及び監視情報を表示する表示部１３とから構成される。
【００１９】
すなわち、演算処理部１１はコンピュータであって、図示しないＣＰＵ、主メモリ、入出力及び通信インタフェースを備え、システムの規模によってその構成が適宜変更される。
【００２０】
また、キーボード１１ａ、マウス１１ｂは、データ入力手段であって、データの登録、変更及びこの演算処理部１１への命令やデータを形成して、演算処理部１１に入力され、表示部１３に表示された監視画面が選択操作される。
【００２１】
ここでは、監視装置１と制御装置２とを独立した構成として説明したが、プロセス監視制御装置として一体で構成しても良い。
【００２２】
また、補助記憶装置１２は、ハードディスクなどの記憶装置や、フラッシメモリなどの不揮発性メモリで、所定の記憶容量を備えているものであれば良い。
【００２３】
このようなハードウェア構成において、図２に示す後述する各処理手段のプログラムが補助記憶装置１２に予め格納され、演算処理部１１の図示しない主メモリに書き込まれ、図示しないＣＰＵによって実行される。
【００２４】
次に、監視装置１の詳細構成について図２を参照して説明する。補助記憶装置１２には、監視情報のデータベースが記憶される。このデータベースの種類には、制御装置２に入出力されるプロセス機器の入出力信号の設定状態をデータとして蓄積した入出力信号データベース２０１と、プロセス系統毎の動作状態を図示するためのプロセス系統フローデータベース２０２と、プラント機器の動作状態を示す制御装置２からの入出力可変データをロギングした帳票データベース２０３とからなる。
【００２５】
入出力信号データベース２０１及びプロセス系統フローデータベース２０２は、表示部１３に表示される監視画面の固定表示情報で、帳票データベース２０３は可変表示情報である。
【００２６】
次に、これらのデータベースを演算処理して監視情報とする演算処理部１１の構成について説明する。演算処理部１１は、補助記憶装置１２にデータベースをインストールするデータベースインストール処理手段１１１と、更新前、更新後のデータベースを比較して、データベースを選択設定し、実行するデータベースを主メモリ上に一時記憶させるとともに、その差分を変更履歴差分ファイルとして補助記憶装置１２に記憶させるデータベース比較処理手段１１２とからなる。
【００２７】
さらに、制御装置２からの制御信号を受信して、制御情報２１４として主メモリ上に一時記憶させる制御信号受信処理手段１１３と、選択された３種類のデータベース２１１乃至データベース２１３の固定表示情報と、受信した制御情報２１４の可変表示情報とからプラント機器の監視情報を生成する監視データ処理手段１１４と、その監視データ処理手段１１４で処理された監視情報を表示部１３に表示させる画面表示処理手段１５とからなる。
【００２８】
また、監視データ処理手段１１４は、データベースの種類に対応した入出力信号処理手段１１４ａと、プロセス系統フロー処理手段１１４ｂと、帳票データベース処理手段１１４ｃとからなる。
【００２９】
次に、このよう構成された監視装置１による監視情報の監視画面の表示例を図３乃至図５で説明する。図３はプロセス系統フロー図３１０とその系統のプロセス機器の入出力信号３００の表示画面例である。
【００３０】
このプロセス系統フロー図３１０は、上水場の設備の一部を図示したもので、Ｎｏ１配水ポンプ３１０ａとの２配水ポンプ３１０ｂとから送水された水が、配水池３１０ｃに貯水されている状態を表示している。
【００３１】
この表示画面から、ここでＮｏ１配水ポンプ３１０ａは運転を停止され、Ｎｏ２配水ポンプ３１０ｂが運転され送水していることを示す。さらに、フロキュレータ３１０ｄが削除され、配水地３１０ｃからの送水ルートが変更されたことを表示している。
【００３２】
そして、更新前のデータベースと更新後のデータベースの差分は追加、削除、変更のいずれかが判定されて、追加は追）、削除は削）、変更は変）と記名表示される。
【００３３】
また、表示、非表示、削除の表示選択ボタン３１０ｅは、表示された差分の記事「追）」、「削）、「変）」を表示するか、非表示とするか、または削除するかの選択入力画面で、マウス１１ｂで指定された位置の監視情報の追加、削除、変更が、データベース比較処理手段１１２で選択される。削除を選択した場合、このデータベースは、補助記憶装置１２からも削除される。
【００３４】
また、差分は表示色等を変える等、一目で識別し易いようにコントラストを変えて表示させておく。
【００３５】
また、この表示画面から選択した画面が新しいデータベースとしてそのファイル番号を付して補助記憶装置１２に記憶される。
【００３６】
次に、選択したデータベースでの帳票データ３２０の例を図４に示す。図４は、配水ポンプの動作時間を時刻単位で示したもので、例えば、追加されたＮｏ２配水ポンプ３１０ｂの稼働時間を示す。そしてこの帳票データは、所定期間の統計データ、例えば、最大、最小稼働時間、平均稼働時間等が演算され、定期的に補助記憶装置１２に記憶される。
【００３７】
次に、データベースの変更履歴差分ファイル２０４の表示例を図５に示す。データベースの変更履歴差分ファイル２０４は、データベース比較処理手段１１２でファイルさせると同時に、表示部１３に単独で表示するように構成することができ、この変更履歴差分ファイル画面３３０からも、夫々のデータベースの追加、削除、変更が一覧できる。
【００３８】
また、変更履歴差分ファイル画面３３０の変更記事の「画面展開」をクリックして、対応するデータベースの変更部分を表示させるようにすることもできる。
【００３９】
次に、図６は、このような変更履歴を記憶したデータベースから、実行するデータベースを緊急に選択するデータベース選択画面３３０の例を示す。このデータベース選択画面３４０は、データベースの種類ごとにファイル番号が付与されており、このファイル番号単位で実行、キャンセルを指定する選択アイコン３４０ａからデータベースが選択される。
【００４０】
このように構成されたプロセス監視制御装置の動作について、図７を参照して説明する。
【００４１】
通常、このプロセス監視制御装置の初期のデータベースの製作は、データベース作成ツールで製作される。そして、更新が必要な段階で新たにデザインされたデータベースがデータベースインストール処理手段１１１を介して補助記憶装置１２にインストールされる（ｓ１）。
【００４２】
このとき、インストールされる更新前のデータベースは、データベースの種類別に履歴のわかるファイル番号を付与されて記憶される。そして変更された新たなデータベースがインストールされると、更新前のデータベースと変更されたデータベースがデータベースの種類ごとに比較されてその差分が変更履歴差分ファイル２０４として補助記憶装置１２に記憶される。
【００４３】
また、更新前と更新後のデータベースは、図３に示したように表示部１３に表示されるとともに、その差分が明瞭に識別可能に表示され、差分のデータベースの追加、削除、変更が明記されて表示される。
【００４４】
この追加、削除、変更の記事は、表示選択画面で表示／非表示が選択される。また、データベースが不要の場合には削除を指令すると補助記憶装置１２のから削除される（ｓ２）。
【００４５】
このようにして更新された固定表示情報でのデータベースが新しいファイル番号を付与されてインストールされると、この更新されたデータベースでの監視が開始される。そして、制御装置２から制御信号を受信し、一時記憶された（ｓ３）可変表示情報の制御情報２１４が、監視データ処理手段１１４で処理されて監視情報とされ（ｓ４）、画面表示処理手段１１５で映像信号とされて、表示部１３に表示される（ｓ５）。
【００４６】
以上述べたように、プロセス監視制御装置の新たにインストールされるデータベースと更新前のデータベースは、表示部１３に差分が表示され、差分の変更、追加、削除が選択設定されるので、データベースの更新時の変更点を容易に発見できる。
【００４７】
また、更新前のデータベースにも容易に戻すことが可能である。
【００４８】
本発明は、上述したような実施例に何ら限定されるものでなく、データベースの種類の数とその変更履歴の表示方法は、監視対象とするプロセスによって、また表示するツールによって種々変えることも可能で、更新前のデータベースと更新後のデータベースを比較して、表示選択することが可能なものであれば良く、本発明の主旨を逸脱しない範囲で種々変形して実施することができる。
【図面の簡単な説明】
【００４９】
【図１】本発明によるプラント監視制御装置の構成図。
【図２】本発明によるプラント監視制御装置の機能ブロック図。
【図３】本発明のプラント監視制御装置の表示画面（プラント系統フロー図）の例。
【図４】本発明のプラント監視制御装置の表示画面（帳票）の例。
【図５】本発明のプラント監視制御装置の変更履歴差分ファイルの例。
【図６】本発明のプラント監視制御装置のデータベース選択画面の例。
【図７】本発明によるプラント監視制御装置の動作フロー図。
【符号の説明】
【００５０】
１  監視装置
２  制御装置
３  ネットワーク
４  プラント
１１  演算処理部
１１ａ  キーボード
１１ｂ  マウス
１２  補助記憶装置
１３  表示部
１１１  データベースインストール手段
１１２  データベース比較手段
１１３  制御データ受信処理手段
１１４  監視データ処理手段
１１４ａ  入出力信号処理手段
１１４ｂ  プロセス系統フロー処理手段
１１４ｃ  帳票データ処理手段
１１５  画面表示処理手段
２０１  入出力信号データベース
２０２  プロセス系統フロー図データベース
２０３  帳票データベース
２０４  変更履歴差分ファイル
２１１  入出力信号比較データベース
２１２  プロセス系統フロー比較データベース
２１３  帳票比較データベース
２１４  制御情報
３００  入出力信号の表示画面
３１０  プロセス系統フロー図の表示画面
３２０  帳票の表示画面
３３０  変更履歴差分ファイルの例
３４０  データベース選択画面の例
【図１】
2006146671.tif 000003
【図２】
2006146671.tif 000004
【図３】
2006146671.tif 000005
【図４】
2006146671.tif 000006
【図５】
2006146671.tif 000007
【図６】
2006146671.tif 000008
【図７】
2006146671.tif 000009